(57)【特許請求の範囲】
【請求項１】
建物の外壁に貫通して設けられるダクトの内周部に配設され、室内側と
室外側に開口する直線状の通風路を有した筒状の消音部材と、この消音部材の内周部に室内側の開口から嵌挿する筒状のフレームと、このフレームの室内側端部側に設けられた給気グリルとを備え、前記消音部材の通風路と前記フレーム内の通風路とから直線状の流路を前記ダクト内に形成してなる消音型給気口であって、前記フレームの外周部に嵌合する第１の消音部材と、前記ダクトの内周部と嵌合する第２の消音部材とを備え、前記第２の消音部材は、前記ダクトの室外側に設けた屋外フードと前記フレームとの距離に応じて前記第１の消音部材に対し摺動自在に移動することを特徴とする消音型給気口。
【請求項２】
建物の外壁に貫通して設けられるダクトの内周部に配設され、室内側と室外側に開口する直線状の通風路を有した筒状の消音部材と、この消音部材の内周部に室内側の開口から嵌挿する筒状のフレームと、このフレームの室内側端部側に設けられた給気グリルとを備え、前記消音部材の通風路と前記フレーム内の通風路とから直線状の流路を前記ダクト内に形成してなる消音型給気口であって、前記ダクトの内周部に嵌合する第３の消音部材と、この第３の消音部材の内周部と前記フレームの外周部との間に嵌合する第４の消音部材とを備え、前記第４の消音部材は、前記ダクトの室外側に設けた屋外フードの内部に突出するように設けられることを特徴とする消音型給気口。
【発明の詳細な説明】
【０００１】
【発明の属する技術分野】
本発明は、室外より新鮮な外気を取り入れる際、室内に侵入する騒音の消音対策として設置される消音型給気口に関する。
【０００２】
【従来の技術】
近年、住宅の気密化が進み、台所等で風量の大きい換気扇を運転すると、室内が負圧になり扉の開閉が困難になったり、扉の隙間から空気が侵入し一種の笛鳴り音を発生する現象が発生し、このような現象を軽減するため、室外より外気を取り入れる給気口が設けられている。
【０００３】
従来、この種の給気口は、実開昭５３−１５５２５９号公報に示すような構造が一般的であった。以下、その構成について図６および図７を参照しながら説明する。
【０００４】
図に示すように、建物の外壁１０１に室内と室外とを連通する筒状体１０２を嵌挿し、筒状体１０２の内周部に防音ユニット１０３を設けている。防音ユニット１０３の室外側開口部には風雨の侵入を防止する屋外フード１０４を、また、室内側開口部には、この開口部を覆う給気グリル１０５を、それぞれ設けている。防音ユニット１０３は、図７に示すように、四角形枠状の枠形部材１０６の一方の開口端部に、両面に消音材層１０７を備えた隔板１０８を、この開口端部の一側部に通風開口部１０９を形成するように設けて構成されている。そして、防音ユニット１０３は、通風開口部１０９を図７に示す上側あるいは下側に交互に位置させて、筒状体１０２の内周部に連設されており、その内部に室内と室外とを連通する蛇行状の通気流路１１０を形成している（図６参照）。
【０００５】
上記構成において、室外から取り入れる外気は、屋外フード１０４から吸い込まれ、蛇行状の通気流路１１０を通過して、給気グリル１０５から室内に給気される（図６の実線矢印）。同時に、室外からの騒音も蛇行状の通気流路１１０を通過し、ここで消音されて室内への騒音の伝播は大幅に減衰していた。
【０００６】
【発明が解決しようとする課題】
このような従来の給気口では、室外からの空気が蛇行状の通気流路１１０を通過して室内に給気されるため圧力損失が高くなり、室内側の給気グリル１０５から笛鳴り音が発生するという事があった。
【０００７】
また、蛇行状の通気流路１１０を形成するため構成部品が多くなり、製作時の組み立て工数が大であった。
【０００８】
本発明は上記課題を解決するもので、圧力損失を低下した消音型給気口を、製作時の組み立て工数を少なくして提供することを目的とする。
【０００９】
【課題を解決するための手段】
本発明の消音型給気口においては、建物の外壁に貫通して設けられるダクトの内周部に配設され、室内側と室外側に開口する直線状の通風路を前記ダクト内に形成する筒状の消音部材と、この消音部材の内周部に室内側の開口から嵌挿する筒状のフレームと、このフレームの室内側端部に設けられた給気グリルとを備えてなる構成としたものである。
【００１０】
この本発明によれば、圧力損失を低下した消音型給気口を、製作時の組み立て工数を少なくして提供することができる。
【００１１】
【発明の実施の形態】
本発明の請求項１に記載の発明は、建物の外壁に貫通して設けられるダクトの内周部に配設され、室内側と室外側に開口する直線状の通風路を有した筒状の消音部材と、この消音部材の内周部に室内側の開口から嵌挿する筒状のフレームと、このフレームの室内側端部側に設けられた給気グリルとを備え、前記消音部材の通風路と前記フレーム内の通風路とから直線状の流路を前記ダクト内に形成してなる消音型給気口であって、前記フレームの外周部に嵌合する第１の消音部材と、前記ダクトの内周部と嵌合する第２の消音部材とを備え、前記第２の消音部材は、前記ダクトの室外側に設けた屋外フードと前記フレーム
との距離に応じて前記第１の消音部材に対し摺動自在に移動するものであり、ダクト内の通風路は、室内側と室外側を開口した筒状の消音部材によって形成されるので、圧力損失は低く、外部からの騒音は、この消音部材によって減衰され、また、構成部品が少ないので、低い工数で組み立てられるという作用を有する。
【００１２】
以下、本発明の実施の形態について図１〜図５を参照しながら説明する。
【００１３】
（実施の形態１）
図１に示すように、建物の外壁１を貫通してダクト２を嵌挿し、このダクト２の内周部に、グラスウール等からなり室内側と室外側に開口する通風路３を有した筒状の消音部材４を設け、消音部材４の内周部に室内側から筒状のフレーム５を嵌挿し、フレーム５には室内側端部に給気グリル６を設けている。また、ダクト２の室外側に、ダクト２内に挿入されるスリーブ７を備えた屋外フード８を設けている。
【００１４】
上記構成の給気口を設置した部屋に取り付けた換気扇（図示せず）を運転すると、室内が負圧になり、室内外の圧力差によって外気が屋外フード８から吸い込まれ、消音部材４の通風路３、フレーム５を通って、給気グリル５から室内に給気される。このとき、外気の通過する流路は、ダクト２内において直線状であるので、圧力損失は極めて小さいものとなり、一方、騒音は外気が通過するとき消音されて、室内への伝播は大幅に減衰される。
【００１５】
このように本発明の実施の形態１の消音型給気口によれば、圧力損失を大幅に低減させた消音型給気口を、単純な構造で組み立て工数を少なくして提供することができる。
【００１６】
（実施の形態２）
図２に示すように、建物の外壁１に嵌挿したダクト２の内周部に、内径の異なる消音部材（大）４Ａおよび消音部材（小）４Ｂを２個連設し、内径が大きい方の消音部材（大）４Ａを室内側に、小さい方の消音部材（小）４Ｂを室外側に配置している。そして、これら消音部材（大）４Ａおよび（小）４Ｂによって、途中で径の異なる通風路３Ａを形成している。
【００１７】
上記構成において、室外から取り入れられる外気は、屋外フード８から吸い込まれ消音部材（小）４Ｂを通過するが、この消音部材（小）４Ｂの内径は、消音部材（大）４Ａおよび、この内周部の嵌挿されているフレーム５の内径より小さいので、消音効果がさらに大きくなる。
【００１８】
（実施の形態３）
図３に示すように、建物の外壁１に嵌挿したダクト２の室内側内周部に設けた筒状のフレーム５の外周を覆うように多孔質の薄板からなる通風管９を設け、通風管９の外周面とダクト２の内周面との間に通風路３Ｂを形成している。そして、通風管９の室外側端部開口は、室外側面に消音材１０を貼付した平板１１で閉塞され、また、通風管９とダクト２のそれぞれの室内側端部の間の空間は消音部材４Ｃで埋められている。
【００１９】
上記構成において、室外から外気の導入とともに侵入してくる騒音は、平板１１があるため通風管９の外周側に回り込んで、曲折しながら通風管９の内部に入って給気グリル６から室内に伝播することとなるが、この通風管９を通過することによって大幅に減衰される。
【００２０】
（実施の形態４）
図４に示すように、建物の外壁１に嵌挿したダクト２の内部に、内径の異なる消音部材（大）４Ｄおよび消音部材（小）４Ｅを、消音部材（小）４Ｅがフレーム５の外周部に嵌合し、消音部材（大）４Ｄが消音部材（小）４Ｅの外周とダクト２の内周との間に嵌合するように配置して、設けている。そして、消音部材（大）４Ｄを消音部材（小）４Ｅに対し摺動自在としている。
【００２１】
上記構成において、消音部材（大）４Ｄを配設する位置を、屋外フード８が備えたスリーブ７の室内側端部に当接する位置とすることによって、外壁１の厚さに応じて、ダクト２内に配設される消音部材（大）４Ｄ、消音部材（小）４Ｅの長さを、消音効果が低下することなく調節することができる。
【００２２】
（実施の形態５）
図５に示すように、建物の外壁１に嵌挿したダクト２の内部に内径の異なる消音部材（大）４Ｆおよび消音部材（小）４Ｇを、消音部材（小）４Ｇの室内側がフレーム５の外周部に嵌合するとともに、消音部材（小）４Ｇの室外側が給気グリル８の備えたスリーブ７の内部に突出し、また、消音部材（大）４Ｆが消音部材（小）４Ｇの外周とダクト２の内周との間に嵌合するようにして、設けている。  上記構成では、消音部材（小）４Ｇがフレーム５の外周部に嵌合しているとともに、室外側が屋外フード８のスリーブ７の内部に突出しているので、外壁１の厚さが薄い場合でも、消音部材（小）４Ｇの室外側端部がスリーブ７に当接して配設することができなくなることがなく、設置することができることとなる。
【００２３】
【発明の効果】
以上の実施の形態から明らかなように、本発明によれば、建物の外壁に嵌挿したダクトの内周部に配設され、室内側と室外側に開口する直線状の通風路を前記ダクト内に形成する筒状の消音部材と、この消音部材の内周部に室内側の開口から嵌挿する筒状のフレームと、このフレームの室内側端部に設けられた給気グリルとを備えた構成とすることにより、圧力損失を大幅に低減させた消音型給気口を、組み立て工数を少なくして提供することができる。
【００２４】
また、ダクトの内周部に通風路の径の異なる消音部材を連設し、室外側に通風路の径の小さい消音部材を配置した構成とすることによって、消音効果を向上させることができる。
【００２５】
また、ダクトの内部に、その外周囲に通風路を形成し多孔質の薄板からなる通風管を設け、この通風管の室内側は端部開口が給気グリルと連通するとともに、端部外周面とダクト内周面との間に消音部材を配設し、室外側は開口端部を消音材を貼付した平板で閉塞する構成としたことにより、室外から侵入する騒音は、室内へ直進することなく通風管で曲折して進行していくので、大幅に減衰することとなる。
【００２６】
また、フレームの外周部に嵌合する第１の消音部材と、ダクトの内周部と嵌合する第２の消音部材とを備え、第２の消音部材は、ダクトの室外側に設けた屋外フードとフレームとの距離に応じて第１の消音部材に対し摺動自在に移動する構成としたことにより、外壁の厚さに応じて、ダクト内に配設される消音部材の長さを、消音効果が低下することなく調節することができる。
【００２７】
また、ダクトの内周部に嵌合する第３の消音部材と、この第３の消音部材の内周部とフレームの外周部との間に嵌合する第４の消音部材とを備え、第４の消音部材は屋外フードの内部に突出するように設けられる構成としたことにより、厚さの薄い外壁にも、消音部材を支障なく配設した状態で設置することができることとなる。
【図面の簡単な説明】
【図１】本発明の実施の形態１の消音型給気口を示す断面図
【図２】本発明の実施の形態２の消音型給気口を示す断面図
【図３】本発明の実施の形態３の消音型給気口を示す断面図
【図４】本発明の実施の形態４の消音型給気口を示す断面図
【図５】本発明の実施の形態５の消音型給気口を示す断面図
【図６】従来の給気口を示す断面図
【図７】同給気口の防音ユニットの分解斜視図
【符号の説明】
１    外壁
２    ダクト
３    通風路
４    消音部材
４Ａ  消音部材（大）
４Ｂ  消音部材（小）
４Ｃ  消音部材
４Ｄ  消音部材（大）
４Ｅ  消音部材（小）
４Ｆ  消音部材（大）
４Ｇ  消音部材（小）
５    フレーム
６    給気グリル
８    屋外フード
９    通風管
１０  消音材
１１  平板
【図１】
0003693521.tif 000002
【図２】
0003693521.tif 000003
【図３】
0003693521.tif 000004
【図４】
0003693521.tif 000005
【図５】
0003693521.tif 000006
【図６】
0003693521.tif 000007
【図７】
0003693521.tif 000008